(57)【要約】【課題】中間導光板を省いて熱、振動、衝撃などによる歪みやＬＥＤランプの破損を防止し、色の均一度及び色混合を改善することができるバックライトユニット及びこれを用いた液晶表示装置を提供すること。【解決手段】複数個のＬＥＤランプが一方向に一定の間隔で配列された複数本のランプアレイ部と、ＬＥＤランプの上部表面に形成されて、ＬＥＤランプから発される光を側方に反射させる反射物質と、ランプアレイ部の上部に配置された光散乱手段と、光散乱手段を支持する外ケースとを備えてなることを特徴とする。【選択図】図６Ｂ
2006244990.tif 000002
【特許請求の範囲】
【請求項１】
複数個のＬＥＤランプが一方向に一定の間隔で配列された複数本のランプアレイ部と、
前記ＬＥＤランプの上部表面に形成され、前記ＬＥＤランプから発光された光を側方に反射させる反射物質と、
前記ランプアレイ部の上部に配置された光散乱手段と、
前記光散乱手段を支持する外ケースと、
を備えてなることを特徴とするバックライトユニット。
【請求項２】
前記ランプアレイ部は、Ｒ、Ｇ、及びＢのＬＥＤランプが順に複数個配置されてなることを特徴とする請求項１に記載のバックライトユニット。
【請求項３】
前記外ケースの内側の表面に形成された反射物質をさらに備えることを特徴とする請求項１に記載のバックライトユニット。
【請求項４】
前記反射物質は、白色系列の乱反射、鏡反射、及び金属反射などが可能である物質からなることを特徴とする請求項１に記載のバックライトユニット。
【請求項５】
前記反射物質とランプとの間に透明または半透明物質をさらに備えることを特徴とする請求項１に記載のバックライトユニット。
【請求項６】
前記ＬＥＤランプが、
光を発するＬＥＤチップと、
前記ＬＥＤチップを保護すると同時に、発される光を集光するレンズと、
前記ＬＥＤチップ及びレンズを支持するボディー部と、を備えてなることを特徴とする請求項１に記載のバックライトユニット。
【請求項７】
前記反射物質が、前記ＬＥＤランプに備えられたレンズの上部表面に形成されることを特徴とする請求項１または６に記載のバックライトユニット。
【請求項８】
前記光散乱手段が、複数枚の拡散シート及び拡散プレートからなって、光散乱効果を増進させることを特徴とする請求項１に記載のバックライトユニット。
【請求項９】
一定の間隔で順次配列されたＲ、Ｇ、及びＢの各光を発する複数個のＬＥＤランプと、
前記ＬＥＤランプの各々の上部表面に形成され、前記ＬＥＤランプから発される光を側方に反射させる反射物質と、
前記ＬＥＤランプの上部に配設され、前記反射物質により反射された光を拡散させて出射する光散乱手段と、
前記ＬＥＤランプを固定するとともに、前記光散乱手段を支持する外ケースと、
前記光散乱手段の上部に配設され、前記光散乱手段から入射される光により画像を表示する液晶パネルと、
前記液晶パネルの縁部及び前記外ケースの側面に配置されて、前記液晶パネルと外ケースを固定するトップケースと、
を備えてなることを特徴とする液晶表示装置。
【発明の詳細な説明】
【技術分野】
【０００１】
本発明は、液晶表示装置に係り、特に、色の均一度及び色混合を改善することができるバックライトユニット及びこれを用いた液晶表示装置に関する。
【背景技術】
【０００２】
一般に、陰極線管（以下、「ＣＲＴ」という。）は、テレビ（以下、「ＴＶ」という。）をはじめ、計測機器、情報端末機器などのモニタとして用いられてきているが、ＣＲＴ自体の重さと大きさのために電子製品の小型化、軽量化に効率的に対応し難いという限界があった。
【０００３】
そこで、上記ＣＲＴの持つ限界を克服できる代替手段として、電界光学的な効果を用いる液晶表示装置（ＬＣＤ；Liquid Crystal Display）、ガス放電を用いるプラズマ表示素子（ＰＤＰ；Plasma Display Panel）及び電界発光効果を用いるＥＬ表示素子（ＥＬＤ；Electro Luminescence Display）などが注目されており、なかでも、液晶表示装置への研究者が活発に行われている。
【０００４】
小型・軽量・低消費電力などの特長からＣＲＴに取って代わるものとされる液晶表示装置は、最近では、平板表示装置としての役割を十分に果たせるような水準に達し、実際にラップトップ型コンピュータのモニタの他、デスクトップ型コンピュータのモニタ及び大型情報表示装置などに採用されており、今後も液晶表示装置の需要は継続して増加すると予想される。
【０００５】
そして、液晶表示装置の大部分は、光源からの光量を調節して画像を表示する受光性素子で、液晶パネルに光を照射するための別途の光源、すなわち、バックライトを必ず必要とされる。このバックライトは、ランプユニットが設置される位置によってエッジ方式と直下方式とに区分される。
【０００６】
ここで、光源としては、エレクトロルミネセンス（ＥＬ；）、発光ダイオード（ＬＥＤ；Light Emitting Diode）、ＣＣＦＬ（Cold Cathode Fluorescent Lamp）、ＨＣＦＬ（Hot Cathode Fluorescent Lamp）などが使われ、特に、長寿命・低消費電力・薄型の点からＣＣＦＬが大画面カラーＴＦＴ液晶表示装置に多く採用されている。
【０００７】
このＣＣＦＬは、ペニング（penning）効果を利用するために、アルゴン、ネオンなどを添加した水銀ガスを低圧に封入した蛍光放電管を使用している。この管の両端には電極が形成されるが、陰極は、板状に広く形成され、電圧が印加されるとスパッタリング現象の如く放電管内の荷電粒子が板状の陰極と衝突して二次電子を発生させ、これは、周囲元素を励起させプラズマを生成させる。
【０００８】
これら元素は、強い紫外線を放出し、この紫外線が再び蛍光体を励起させ、蛍光体に可視光線を放出させるようにする。
【０００９】
上記のエッジ方式は、光を導く導光板の側面にランプユニットが設置されるもので、ランプユニットは、光を発するランプ、このランプの両端に挿入されてランプを保護するランプホルダー、及びランプの外周面を囲み、一側面が導光板の側面に挟み込まれ、ランプから発される光を導光板側に反射させるランプ反射板を備える。
【００１０】
このように導光板の側面にランプユニットが設置されるエッジ方式は、主としてラップトップ型コンピュータ及びデスクトップ型コンピュータのモニタのように比較的小型の液晶表示装置に適用されるもので、光の均一性が良く、耐久性に優れており、且つ、液晶表示装置の薄型化に有利である。
【００１１】
一方、直下方式は、液晶表示装置の大きさが２０インチ以上と大型化するに伴って本格的に開発が始められたもので、拡散板の下部面に複数個のランプを一列に配列させて液晶パネルの全面に光を直接照射する構造となっている。
【００１２】
この直下方式は、エッジ方式に比べて光の利用効率が高いために、高輝度を要求する大画面の液晶表示装置に主として使われる。
【００１３】
しかしながら、直下方式を採択する液晶表示装置は、大型モニタやテレビなどに採用されるもので、ラップトップ型コンピュータに比べて使用時間が長く、ランプの個数も多いため、エッジ方式のものに比べて、ランプが故障したり寿命が尽きたりして点灯しないランプが発生する確率が高い。
【００１４】
また、直下方式では、画面の下面にランプが複数個設置されるため、ランプの寿命及び故障により、例えば１個のランプが点灯されないと、ランプの点灯していない部分が他の部分よりも顕著に暗くなり、ランプが点灯していない部分が画面上に直ちに現れることになる。
【００１５】
このため、直下方式ではランプの入れ替えが頻繁となり、よって、ランプユニットを分解及び組立のし易い構造としなければならない。
【００１６】
上にも述べたように、液晶表示装置は、液晶を用いて画面に透過される光量を調節し、この光を用いて画面の明暗と色を決定するもので、一般の表示装置とは幾つかの異なる特性を示す。
【００１７】
その一般の表示装置とは異なる液晶表示装置の特性とは、例えば、画面を見る角度によって画質が著しく変わる視野角、投射型発光ディスプレイによる透過率、透過された光がカラーフィルタを通過して赤（Ｒ）、緑（Ｇ）、青（Ｂ）の色をどれくらい再現するかに関連する色再現性、画像の明暗を表す輝度、同じ画像が長時間続いた際における画像の残像などである。
【００１８】
近来、液晶表示装置は、携帯用製品のディスプレイの他に、デスクトップＰＣ用モニタ及び家庭用ＴＶなどまでその使用領域が拡大しつつある。液晶表示装置は、軽く、薄く、短く、且つ小さい等の物理的長所を持つが、上述した特性のうち、特に色再現性及び輝度などがＣＲＴに比して劣っている。
【００１９】
既存のノートブックコンピュータのモニタに採用される液晶表示装置は、米国テレビシステム委員会（ＮＴＳＣ；national television system committee）によりカラーテレビの放送方式として採用されたＮＴＳＣ方式に比べ、４０〜５０％の水準の色再現性しか持たないが、これでも使用者の要求を充足させることができた。
【００２０】
しかしながら、新しい液晶表示装置の適用分野として注目されているＴＶ分野では、ＣＲＴ水準またはそれ以上の色再現性を持つ液晶表示装置の開発が望まれている。
【００２１】
通常の多色（マルチカラー）の液晶表示装置は、大きく、液晶パネル、バックライト及びカラーフィルタで構成される。すなわち、３波長蛍光ランプからなるバックライトを光源とし、ここから出射された白色光を、カラーフィルタで赤、緑、青の三色に分離し、これらを再び加法混合して様々な色を表現する。
【００２２】
ここで、白色を表現するためには、青色、緑色、及び赤色のＬＥＤを三色同時に使用しなければならず、適用する上で多くの問題が生じる。特に、青色、緑色、及び赤色のＬＥＤを三色同時に使用する場合には、それぞれのＬＥＤの位置によって異なる色が出射されるが、これらを集めて白色にするのには技術的な限界があり、現実的に適用するのは困難であった。
【００２３】
したがって、白色光を得るためには、１個のＬＥＤから３波長がいずれも一定強度以上に発光することが要求される。
【００２４】
そこで、色再現範囲に優れているノートブックコンピュータに使用するＣＣＦＬの長所と、小型で低消耗電力という携帯電話のＳＭＤ（Surface Mounting Device）を使用したＬＥＤのバックライトの長所とを組み合わせたバックライトの開発が切実に要求されている。
【００２５】
次に、一般のバックライトユニットの構成について説明する。
【００２６】
図１は、一般のバックライトユニットの構造を示す図である。同図に示すように、バックライトユニットは、蛍光ランプ１、導光板２、拡散物質３、反射板４、拡散板５及びプリズムシート６等で構成される。
【００２７】
まず、蛍光ランプ１では、電圧が印加されると、蛍光ランプ１中の残留電子は陽極に移動しながらアルゴン（Ａｒ）と衝突してアルゴンを励起させ、励起したアルゴンにより陽イオンが増加し、増加した陽イオンが陰極に衝突して２次電子を放出する。
【００２８】
放出された２次電子が管内に流れて放電を始めると、放電による電子の流れが水銀蒸気と衝突し電離して紫外線と可視光を放出し、放出された紫外線は、ランプ内壁に塗布された蛍光体を励起させて可視光を放出し、光を発散する。
【００２９】
また、導光板２は、蛍光ランプ１から発散された光を内部に入射させて上部に面光源として出射するウェーブガイド（Wave-Guide）であり、光透過力に優れたポリメチルメタクリレート（以下、「ＰＭＭＡ」という。；PolyMethyl MethAcrylate）樹脂からなる。
【００３０】
導光板２の光入射効率に関連する要素には、導光板の厚さとランプ径との割合、導光板２と蛍光ランプ１との間の距離、ランプ反射板の形態などがあり、通常、蛍光ランプ１を導光板２の中心から厚さ方向にずれるように配置することによって、光入射効率を増大させている。
【００３１】
ＬＣＤ用バックライトユニットの導光板２は、印刷方式の導光板、Ｖ−ｃｕｔ方式の導光板及び散乱導光板などがある。
【００３２】
拡散物質３は、ＳｉＯ２粒子、ＰＭＭＡ、ソルベント（Solvent）等からなる。ここで、ＳｉＯ２粒子は、光拡散用のもので、多孔質粒子構造を持つ。また、ＰＭＭＡは、ＳｉＯ２粒子を導光板２の下部面に付着させる機能を担う。
【００３３】
また、拡散物質３は、ドット形態に導光板の下部面に塗布され、導光板２上部での均一な面光源を得るために、ドットの面積が段階的に大きくなる。すなわち、蛍光ランプ１に近いほど単位面積当たりドットの占める面積率が小さく、蛍光ランプ１から遠いほど単位面積当たりドットの占める面積率が大きくなる。
【００３４】
この場合、ドットの形状は様々にすることができ、単位面積当たりドットの面積率が同じであれば、ドットの形状にかかわらず導光板上部において同じ明るさが得られる。
【００３５】
また、反射板４は、導光板２の後方に設置され、蛍光ランプ１から出射された光を導光板２の内部に入射させるように機能する。
【００３６】
また、拡散板５は、ドットパターンが塗布された導光板２の上部に設置され、視野角にかかわらず均一な輝度が得られるようにするもので、ポリエチレンテレフタレート(ＰＥＴ)やポリカーボネート(ＰＣ；PolyCarbonate）樹脂からなり、拡散板５の上部には拡散機能を有する粒子コーティング層が形成されている。
【００３７】
プリズムシート６は、拡散板５の上部に透過して反射される光の正面輝度を高めるためのもので、特定角度の光だけを透過させ、残りの角度で入射した光を内部全反射させ、プリズムシート６の下方に戻す。このように戻された光は、導光板２の下部に付着された反射板４から反射される。
【００３８】
上記のように構成されたバックライトユニットは、モールドフレームに固定され、バックライトユニットの上面に配置されたディスプレイユニットは、トップシャーシで保護され、トップシャーシとモールドフレームは、バックライトユニットとディスプレイユニットとをそれぞれ収容した状態で互いに結合される。
【００３９】
以下、添付の図面に基づき、従来の液晶表示装置のバックライトユニットについて説明する。
【００４０】
図２は、従来技術によるバックライトユニットの一例を示す斜視図である。また、図３は、従来技術によるバックライトユニットの他の例を示す平面図であり、図４Ａ及び図４Ｂはそれぞれ図３の線Ｉ−Ｉ'と線II−II'に沿って切断した断面図である。
【００４１】
まず、図２に示す従来のバックライトユニットは、光に透明な材料で製造された長方形の光学導波管プレート１０を使用したもので、この光学導波管プレート１０は、光が抜け出る上部側面の光放出表面１１と、光放出表面１１の反対側に位置する下部側面１２と、４つの側面１３〜１６からなる。そして、光源用の複数の円筒形穴２０（概略図示）は、光放出表面１１の方向に延長されるように光学導波管プレート１０の下部側面に凹んでおり、Ｒ、Ｇ、及びＢのＬＥＤランプ（図示せず）は、これら穴２０の下部にそれぞれ配置されている。穴２０は、規則的な格子配列で光学導波管プレート１０に均等に分布することが好ましい。
【００４２】
このようにＲ、Ｇ、及びＢのＬＥＤランプを用いるバックライトユニットは、色再現率が向上し且つ水銀を使用しないという長所があるが、Ｒ、Ｇ、及びＢの各ＬＥＤランプから出るカラーを混合して放出すべく、各穴２０には、光放出表面１１に対応して上部側面と側部壁面とを備えなければならない。さらに、この上部側面は第１反射層でコーティングされ、下部側面は第２反射層でコーティングされ、上部側面と対向する穴２０の縁部は、第３反射層により囲まれていなければならない。また、光学導波管プレート１０と各穴２０のＬＥＤランプの光とは、各穴２０の側部壁面を介しての結合されるように構成される等、その構造が複雑であるという問題があった。
【００４３】
一方、図３乃至図４Ｂに示すバックライトユニットは、直下方式のもので、中間導光板を使用した構造となっている。
【００４４】
図３乃至図４Ｂに示すバックライトユニットは、複数個のＬＥＤランプ３１が一方向に配列される複数本のランプアレイ部３０と、液晶パネルに光を拡散させて伝達するためにランプアレイ部３０の上部に配置された光散乱手段３４と、ＬＥＤランプ３１の光をよく混合して色均一度を合わせるべくＬＥＤランプ３１と光散乱手段３４との間に配置された中間導光板３２と、ＬＥＤランプ３１のそれぞれに対応するように中間導光板３２の下部に構成される複数枚の反射板３３と、ＬＥＤランプ３１が固定され、中間導光板３２と光散乱手段３４とを支持する外ケース４０とで構成される。
【００４５】
このように従来の液晶表示装置のバックライトユニットは、ＬＥＤランプ３１と対応するように、その下部に反射板３３を付着した透明な中間導光板３２を、ＬＥＤランプ３１と隣接するように設置して各ＬＥＤランプ３１から発光されたＲ、Ｇ、及びＢの各色がよく混合されるようにしている。
【００４６】
のみならず、ＬＥＤランプ３１とそれぞれ対応するように中間導光板３２の下部に構成される反射板３３により、ＬＥＤランプ３１から発光された強い光が直接液晶パネルに届くのを防止している。
【発明の開示】
【発明が解決しようとする課題】
【００４７】
しかしながら、上記のように構成された従来技術による液晶表示装置のバックライトユニットは、熱、振動、衝撃などにより中間導光板３２がＬＥＤランプ３１の方に垂れて反ってしまい、バックライトユニットの歪みまたはＬＥＤランプ３１の破損を招き、結果として色の均一度及び混合率の劣化につながる問題があった。
【００４８】
一方、このような問題を解決するために、中間導光板３２とその下部に付着された反射板３３を除去すると、ＬＥＤランプ３１の上部から出る光がそのまま光散乱手段（拡散板）３４に届くため、光が混合されず均一度が低下してしまう。
【００４９】
本発明は、上記の問題点を解決するためのもので、中間導光板を省くことによって、熱、振動、衝撃などによるバックライトユニットの歪みやＬＥＤランプの破損を防止し、色の均一度及び混合度を改善することができるバックライトユニット及びこれを用いた液晶表示装置を提供することにある。
【課題を解決するための手段】
【００５０】
上記目的を達成するために、本発明に係るバックライトユニットは、複数個のＬＥＤランプが一方向に一定の間隔で配列される複数本のランプアレイ部と、ＬＥＤランプの上部表面に形成されて、ＬＥＤランプから発光された光を側方に反射させる反射物質と、ランプアレイ部の上部に配置された光散乱手段と、光散乱手段を支持する外ケースとを備えてなることを特徴とする。
【００５１】
また、本発明による液晶表示装置は、一定の間隔で順次配列されてＲ、Ｇ、及びＢの各光を発する複数個のＬＥＤランプと、ＬＥＤランプの各々の上部表面に形成されて、ＬＥＤランプから発される光を側方に反射させる反射物質と、ＬＥＤランプの上部に配設され、反射物質により反射された光を拡散させて出射する光散乱手段と、ＬＥＤランプを固定するとともに、光散乱手段を支持する外ケースと、光散乱手段の上部に配設され、光散乱手段から入射される光により画像を表示する液晶パネルと、液晶パネルの縁部及び外ケースの側面に配置されて、液晶パネルと外ケースを固定するトップケースとを備えてなることを特徴とする。
【発明の効果】
【００５２】
本発明を適用したバックライトユニット及びこれを用いた液晶表示装置は、従来の中間導光板を省く代わりに、ＬＥＤランプの上部に反射物質を形成したため、熱、振動、衝撃などによるＬＥＤランプの破損またはバックライトユニットの歪みを防止でき、色の均一度及び混合度を改善できる効果が得えられる。
【発明を実施するための最良の形態】
【００５３】
以下、添付の図面に基づき、本発明に係るバックライトユニット及びこれを用いた液晶表示装置について詳しく説明する。
【００５４】
図５は、本発明の実施形態におけるバックライトユニットを示す平面図であり、図６Ａ及び図６Ｂは、それぞれ図５の線III−III'及び線IV−IV'に沿って切断した断面図である。
【００５５】
本発明は、直下方式のＬＥＤバックライトユニットに関するもので、図５乃至図６Ｂに示すように、複数個のＬＥＤランプ５１が一方向に配列された複数本のランプアレイ部５０と、各ＬＥＤランプ５１の上部表面に形成され、光を側方に反射させる反射物質５２と、各ＬＥＤランプ５１から発された光を拡散させて伝達するためにランプアレイ部５０の上部に配置された光散乱手段５３と、ＬＥＤランプ５１を固定するとともに、光散乱手段５３を支持する外ケース６０とで構成されている。
【００５６】
ランプアレイ部５０は、Ｒ、Ｇ、及びＢの各ＬＥＤランプ５１が順に複数個配置されてなる。
【００５７】
また、光散乱手段５３は、ＬＥＤランプ５１の形状が液晶パネルの表示画面に現れるのを防止し、全体的に均一な明るさ分布を持つ光源を提供するためのもので、光散乱効果を増進させるために、液晶パネルとの間に複数の拡散シート及び拡散プレートなどが配置されてなる。
【００５８】
また、外ケース６０の内側の表面には、反射物質（図示せず）を形成し、ＬＥＤランプ５１の上部に形成された反射物質５２が反射した光を光散乱手段５３側に反射させている。
【００５９】
また、ＬＥＤランプ５１の上部に形成された反射物質５２は、白色系列の乱反射、鏡反射、金属反射などが可能である様々な物質を使用することができる。
【００６０】
したがって、本発明によるバックライトユニットは、ＬＥＤランプ５１の上部に反射物質５２を形成することによって、ＬＥＤランプ５１から発される光を、反射物質５２で反射して側方に広がるようにし、結果として均一度及び色混合を改善することができる。
【００６１】
図７は、本発明と従来のバックライトユニットにおいてＬＥＤランプから発される光の経路を比較した断面図である。
【００６２】
図７において向かって右側に点線矢印で示したように、従来技術では、ＬＥＤランプ１００から発された光は上方に進行して光散乱手段２００に直接照射されている。一方、図７において向かって左側に点線矢印で示したように、本発明では、ＬＥＤランプ１００の上部表面に形成された反射物質１１０により側方へ反射され、その反射された光が光散乱手段２００に照射されている。
【００６３】
図８Ａ乃至図８Ｃは、本発明による液晶表示装置のバックライトユニットに使用された、反射物質が形成されたＬＥＤランプの例を示した図である。
【００６４】
図８Ａ及び図８Ｂに示すように、ＬＥＤランプ５１は、光を発するＬＥＤチップ５１ａと、ＬＥＤチップ５１ａを保護すると同時に、発された光を集光するレンズ５１ｂと、レンズ５１ｂの上部表面に形成されて、ＬＥＤチップ５１ａから発された光を側方に反射させる反射物質５２と、ＬＥＤチップ５１ａ及びレンズ５１ｂを支持するボディー部５１ｃとを備えてなる。
【００６５】
ここで、レンズ５１ｂは、ＬＥＤチップ５１ａの周囲を囲むように形成され、凹状（凸状）、平面状または‘Ｖ’字凹状の形態に形成される。
【００６６】
また、このようなレンズ５１ｂの上部表面には、反射物質５２がコーティングされて形成される。
【００６７】
尚、レンズ５１ｂの形状は、上記のものに限定されることなく、様々に形成可能である。
【００６８】
また、図８Ｃに示すように、レンズ５１ｂの上部に透明または半透明材質５４を付着し、この透明または半透明材質５４の上部に反射物質５２をコーティングして形成することも可能である。この場合にも、レンズ５１ｂの形状は様々に形成可能である。
【００６９】
ここで、ＬＥＤランプ５１を構成するレンズ５１ｂの上部に一次的に透明または半透明材質のものを付着させる理由は、ＬＥＤチップ５１ａから発された光の色混合をより円滑にするためである。
【００７０】
図９は、図５に示したバックライトユニットが装着された液晶表示装置を示す断面図である。
【００７１】
同図において、液晶表示装置は、一定の間隔で順次配列されて、Ｒ、Ｇ、及びＢの各光を発する複数個のＬＥＤランプ５１と、ＬＥＤランプ５１の上部表面に形成されて、ＬＥＤランプ５１から発される光を側方に反射させる反射物質５２と、ＬＥＤランプ５１の上部に配設されて、反射物質５２から反射された光を拡散させて出射する光散乱手段５３と、ＬＥＤランプ５１が固定されるとともに、光散乱手段５３を支持する外ケース６０と、光散乱手段５３の上部に配設され、光散乱手段５３から入射される光により画像を表示する液晶パネル７０と、液晶パネル７０の縁部及び外ケース６０の側面に形成されて、液晶パネル７０と外ケース６０を固定するトップケース８０とを備えてなる。
【００７２】
このように構成された液晶表示装置は、液晶パネル７０に画像を表現する際に、ＬＥＤランプ５１を点灯する。このときに、複数個のＬＥＤランプ５１に全部または選択的に電圧が印加され、ＬＥＤランプ５１のそれぞれが赤色、緑色、及び青色の光を発光するが、これらＬＥＤランプ５１から発された光は、ＬＥＤランプ５１の上部表面に形成された反射物質５２により直線に出射されずに側方に反射される。
【００７３】
このようにＬＥＤランプ５１の上部表面に形成された反射物質５２により側方に反射された光は、光散乱手段５３とＬＥＤランプ５１との間の空間で色混合されて白色光とされ、続いて光散乱手段５３で拡散されて液晶パネル７０の背面に照射されることによって、液晶パネル７０に所望の画像が表示される。
【００７４】
以上では具体的な実施形態を挙げて本発明を説明してきたが、本発明は、これら具体例に限定されず、本発明の技術思想を逸脱しない範囲内で様々な変更及び修正が可能であることは、当該技術分野で通常の知識を持つ者にとっては明らかである。
【図面の簡単な説明】
【００７５】
【図１】一般のバックライトユニットを示す構造図である。
【図２】従来技術によるバックライトユニットの一例を示す斜視図である。
【図３】従来技術によるバックライトユニットの他の例を示す平面図である。
【図４Ａ】図３の線Ｉ−Ｉ'に沿って切断した断面図である。
【図４Ｂ】図３の線II−II'に沿って切断した断面図である。
【図５】本発明の実施形態によるバックライトユニットの平面図である。
【図６Ａ】図５の線III−III'に沿って切断した断面図である。
【図６Ｂ】図５の線IV−IV'に沿って切断した断面図である。
【図７】本発明と従来のバックライトユニットにおいてＬＥＤランプから発された光の経路を比較した断面図である。
【図８Ａ】本発明を適用したＬＥＤランプの種々の実施形態を示す図である。
【図８Ｂ】本発明を適用したＬＥＤランプの種々の実施形態を示す図である。
【図８Ｃ】本発明を適用したＬＥＤランプの種々の実施形態を示す図である。
【図９】図５に示したバックライトユニットが装着された液晶表示装置の断面図である。
【符号の説明】
【００７６】
５０    ランプアレイ部
５１    ＬＥＤランプ
５２    反射物質
５３    光散乱手段
６０    外ケース
【図１】
2006244990.tif 000003
【図２】
2006244990.tif 000004
【図３】
2006244990.tif 000005
【図４Ａ】
2006244990.tif 000006
【図４Ｂ】
2006244990.tif 000007
【図５】
2006244990.tif 000008
【図６Ａ】
2006244990.tif 000009
【図６Ｂ】
2006244990.tif 000010
【図７】
2006244990.tif 000011
【図８Ａ】
2006244990.tif 000012
【図８Ｂ】
2006244990.tif 000013
【図８Ｃ】
2006244990.tif 000014
【図９】
2006244990.tif 000015